(57)【要約】【課題】幹が太く成長した草や低木であっても円滑に切断することができる刈払コード体およびこの刈払コード体が装着されるコード式刈払機用ロータを提供する。【解決手段】刈払コード体１００は、可撓性を有して長尺に延びるとともに断面形状が正方形に形成されている。この場合、刈払コード体１００は、断面形状における正方形の一辺Ｌが３．５ｍｍ以上かつ４．５ｍｍ以下に形成されている。この刈払コード体１００は、コード式刈払機用ロータ１１０に装着される。コード式刈払機用ロータ１１０は、円板状にベース体１１１の外縁部に径方向外側に向かって開口する筒状の刈払コード体保持部１１３を備えている。刈払コード体保持部１１３は、刈払コード体１００を折り曲げた状態でかつこの折り曲げた状態の刈払コード体１００における屈曲部１０２をベース体１１１の中央側に露出させた状態で貫通させて収容する筒状の部分である。【選択図】  図１
2020048490.tif 000002
【特許請求の範囲】
【請求項１】
可撓性を有して長尺に延びるとともに断面形状が正方形に形成された刈払コード体を同刈払コード体の平面状に延びる側面が回転駆動方向の前方に面する向きで着脱自在に保持するコード式刈払機用ロータに用いられる刈払コード体であって、
前記断面形状は、
前記正方形の一辺が３．５ｍｍ以上かつ４．５ｍｍ以下に形成されていることを特徴とする刈払コード体。
【請求項２】
請求項１に記載した刈払コード体において、
前記平面状の側面が長手方向に沿って円弧状に湾曲して形成されていることを特徴とする刈払コード体。
【請求項３】
請求項２に記載した刈払コード体において、
前記刈払コード体の長手方向に沿って円環状に巻かれて形成されていることを特徴とする刈払コード体。
【請求項４】
請求項１ないし請求項３のうちのいずれか１つに記載した刈払コード体において、
前記正方形の角部を構成して前記刈払コード体の長手方向に沿って延びる稜線部分に凹凸が連続する凹凸刃部を備えていることを特徴とする刈払コード体。
【請求項５】
請求項１ないし請求項４のうちのいずれか１つに記載した刈払コード体において、
前記コード式刈払機用ロータは、
板状に形成されたベース体と、
前記ベース体の外縁部に設けられて２つに折り曲げられた前記刈払コード体の復元力によって折り曲げ部分から広がった状態で収容される幅の筒状に形成された刈払コード体保持部とを備えていることを特徴とする刈払コード体。
【請求項６】
棒状に延びる操作棹の先端部に回転可能に設けられるとともに草を刈るための刈払コード体を着脱自在に保持する刈払コード体保持部を備えたコード式刈払機用ロータであって、
前記刈払コード体は、
可撓性を有した長尺の紐状に形成されるとともに断面形状が一辺が３．５ｍｍ以上かつ４．５ｍｍ以下の正方形に形成されており、
前記刈払コード体保持部は、
前記刈払コード体における前記正方形の一辺を構成して前記刈払コード体の長手方向に沿って延びる平面状の側面が前記コード式刈払機用ロータの回転駆動方向の前方に面するように前記刈払コード体を保持することを特徴とするコード式刈払機用ロータ。
【請求項７】
請求項６に記載したコード式刈払機用ロータにおいて、
前記刈払コード体は、
前記側面が前記刈払コード体の長手方向に沿って円弧状に湾曲して形成されていることを特徴とするコード式刈払機用ロータ。
【発明の詳細な説明】
【技術分野】
【０００１】
本発明は、可撓性を有した長尺の紐状に形成されて草を刈る刈払コード体およびこの刈払コード体を着脱自在に保持して回転させるコード式刈払機用ロータに関する。
【背景技術】
【０００２】
従来から、草や低木を刈るコード式刈払機においては草や低木を切断するために樹脂材を可撓性を有する紐状に形成した刈払コード体が用いられている。例えば、下記特許文献１には、刈払コード体としてワイヤの横断面形状を正四角形に形成するとともに、このワイヤの長手方向に延びる角部である稜線部がワイヤの回転の先頭になるように回転させることで切断能力が向上することが開示されている。
【先行技術文献】
【特許文献】
【０００３】
【特許文献１】実開平０７−３０６１５号公報
【０００４】
しかしながら、上記特許文献１に記載された刈払コード体は、背丈が低く軟らかい草の切断に向いており、背丈が５０ｃｍを超える程に成育した草や低木は幹も太く切断能力が低いという問題があった。
【発明の概要】
【０００５】
本発明は上記問題に対処するためなされたもので、その目的は、幹が太く成長した草や低木であっても円滑に切断することができる刈払コード体およびこの刈払コード体が装着されるコード式刈払機用ロータを提供することにある。
【０００６】
上記目的を達成するため、本発明の特徴は、可撓性を有して長尺に延びるとともに断面形状が正方形に形成された刈払コード体を同刈払コード体の平面状に延びる側面が回転駆動方向の前方に面する向きで着脱自在に保持するコード式刈払機用ロータに用いられる刈払コード体であって、断面形状は、前記正方形の一辺が３．５ｍｍ以上かつ４．５ｍｍ以下に形成されていることにある。
【０００７】
このように構成した本発明の特徴によれば、刈払コード体は、正方形に形成された断面形状の一辺が３．５ｍｍ以上かつ４．５ｍｍ以下に形成されているため、刈払コード体の平面状に延びる側面がコード式刈払機用ロータの回転駆動方向の前方に面して最前面となって草や低木からなる被切断対象物に衝突することとなりこれらの被切断対象物を効果的に刈ることができる。この場合、本発明者によれば、本発明に係る刈払コード体を用いることで直径が１０ｍｍ程度の比較的幹が太く成長した草や低木であっても円滑に切断することができることを確認した。これは、刈払コード体が３．５ｍｍ以上かつ４．５ｍｍ以下の太さの正方形に形成されるとともに刈払コード体における稜線ではなく側面が被切断対象物に衝突することで衝突時の反力による変形を抑えて被切断対象物を切断仕切ることができるためと考えらえる。
【０００８】
また、本発明の他の特徴は、前記刈払コード体において、平面状の側面が長手方向に沿って円弧状に湾曲して形成されていることにある。
【０００９】
このように構成した本発明の他の特徴によれば、刈払コード体は、平面状の側面が長手方向に沿って円弧状に湾曲して形成されているため、コード式刈払機用ロータに装着する際に刈払コード体の側面を回転方向の前方側に対向するように向け易く装着ミスを防止することができる。
【００１０】
また、本発明の他の特徴は、前記刈払コード体において、刈払コード体の長手方向に沿って円環状に巻かれて形成されていることにある。
【００１１】
このように構成した本発明の他の特徴によれば、刈払コード体は、刈払コード体の長手方向に沿って円環状に巻かれて形成されているため、刈払コード体の保管および運搬時に本体部の湾曲状態を長期間に亘って精度良く維持できる。
【００１２】
また、本発明の他の特徴は、前記刈払コード体において、正方形の角部を構成して刈払コード体の長手方向に沿って延びる稜線部分に凹凸が連続する凹凸刃部を備えていることにある。
【００１３】
このように構成した本発明の他の特徴によれば、刈払コード体は、正方形の角部を構成して刈払コード体の長手方向に沿って延びる稜線部分に凹凸が連続する凹凸刃部を備えているため、刈払コード体の側面が被切断対象物に衝突した際にこの側面の上下の両端部の稜線部にそれぞれ形成された凹凸刃部によって被切断対象物の切断を促進することができる。
【００１４】
また、本発明の他の特徴は、前記刈払コード体において、コード式刈払機用ロータは、板状に形成されたベース体と、ベース体の外縁部に設けられて２つに折り曲げられた刈払コード体の復元力によって折り曲げ部分から広がった状態で収容される幅の筒状に形成された刈払コード体保持部とを備えていることにある。
【００１５】
このように構成した本発明の他の特徴によれば、刈払コード体は、２つに折り曲げられた刈払コード体の２つの側面が刈払コード体保持部の内壁に刈払コード体の復元力で押し付けられるため、刈払コード体の回転時における遠心力および被切断対象物からの引張力に抗して刈払コード体保持部内に強力に留まることができる。
【００１６】
また、本発明は刈払コード体の発明として実施できるばかりでなく、この刈払コード体が装着されるコード式刈払機用ロータの発明としても実施できるものである。
【００１７】
具体的には、コード式刈払機用ロータは、棒状に延びる操作棹の先端部に回転可能に設けられるとともに草を刈るための刈払コード体を着脱自在に保持する刈払コード体保持部を備えたコード式刈払機用ロータであって、刈払コード体は、可撓性を有した長尺の紐状に形成されるとともに断面形状が一辺が３．５ｍｍ以上かつ４．５ｍｍ以下の正方形に形成されており、刈払コード体保持部は、刈払コード体における前記正方形の一辺を構成して刈払コード体の長手方向に沿って延びる平面状の側面がコード式刈払機用ロータの回転駆動方向の前方に面するように刈払コード体を保持するようにすればよい。
【００１８】
この場合、コード式刈払機用ロータにおいて、刈払コード体は、前記側面が刈払コード体の長手方向に沿って円弧状に湾曲して形成されているとよい。これらによれば、コード式刈払機用ロータは、前記刈払コード体と同様の作用効果が期待できる。
【図面の簡単な説明】
【００１９】
【図１】本発明に係る刈払コード体が取り付けられたコード式刈払機用ロータが刈払機の操作棹の先端部に取り付けられて回転駆動する状態を示した斜視図である。
【図２】図１に示すコード式刈払機用ロータが刈払機に取り付けられた状態の外観構成の概略を示した部分側面図である。
【図３】図１に示した刈払機用ロータの構成の概略を示した一部破断平面図である。
【図４】図３に示した刈払機用ロータから刈払コード体を取り除いた構成の概略を示した平面図である。
【図５】図４に示す刈払機用ロータの外観構成の概略を示した正面図である。
【図６】図１に示す刈払コード体が長尺に形成されて渦巻き状に巻かれた状態を示す平面図である。
【図７】本発明の変形例に係る刈払コード体が取り付けられたコード式刈払機用ロータが刈払機の操作棹の先端部に取り付けられて回転駆動する状態を示した斜視図である。
【発明を実施するための形態】
【００２０】
以下、本発明に係る刈払コード体およびこの刈払コード体が装着されるコード式刈払機用ロータの一実施形態について図面を参照しながら説明する。図１は、本発明に係る刈払コード体１００が取り付けられたコード式刈払機用ロータ１１０（以降、単に「刈払機用ロータ１１０」という）が刈払機９０の操作棹９１の先端部に取り付けられて回転駆動する状態を示した斜視図である。また、図２は、図１に示す刈払機用ロータ１１０が刈払機９０に取り付けられた状態の外観構成の概略を示した部分側面図である。また、図３は、図１に示した刈払機用ロータ１１０の構成の概略を示した一部破断平面図である。また、図４は、図３に示した刈払機用ロータ１１０から刈払コード体１００を取り除いた構成の概略を示した平面図である。また、図５は、図４に示す刈払機用ロータ１１０の外観構成の概略を示した正面図である。なお、本明細書において参照する各図は、本発明の理解を容易にするために一部の構成要素を誇張して表わすなど模式的に表している。このため、各構成要素間の寸法や比率などは異なっていることがある。
【００２１】
この刈払コード体１００は、刈払機用ロータ１１０に取り付けられて回転することで草や低木などからなる被切断対象物を切断する刃物である。また、刈払機用ロータ１１０は、作業者が肩に掛けて草を刈る刈払機９０において紐状の刈払コード体１００を着脱自在に保持した状態で棒状に延びる操作棹９１の先端部に着脱自在に取り付けられる器具である。
【００２２】
（刈払コード体１００の構成）
刈払コード体１００は、刈払機用ロータ１１０に保持されて回転することによって草や低木などからなる被切断対象物を切断する刃であり、ナイロンなどの樹脂材を可撓性を有して長尺の紐状に形成して所謂フレキシブルブレードで構成されている。この場合、刈払コード体１００は、断面形状における正方形を形成して長手方向に平面状に延びる４つの側面１０１のうちの１つが同長手方向に沿って円弧状の湾曲面を形成するように刈払コード体１００の全体が湾曲して形成されている。なお、図３においては、円弧状に湾曲して形成された刈払コード体１００を実線で示すとともに、刈払機用ロータ１１０の回転駆動（破線矢印方向）によって変形した状態を二点鎖線で示している。
【００２３】
この刈払コード体１００は、横断面形状（以降、単に「断面形状」という）が正方形に形成されている。この場合、刈払コード体１００における断面形状は、正方形の一辺Ｌが３．５ｍｍ以上かつ４．５ｍｍ以下に形成されている。また、刈払コード体１００の長さは、刈払機用ロータ１１０の内部に保持されつつ刈払機用ロータ１１０の外縁部から長尺に延びる長さに形成されている。
（刈払機用ロータ１１０の構成）
【００２４】
刈払機用ロータ１１０は、前記刈払コード体１００を着脱自在に保持して回転駆動（図１、図３において破線矢印方向）することで刈払コード体１００を回転させるための部品であり、刈払機９０における操作棹９１の先端部に設けられている。ここで、刈払機９０は、棒状に延びる操作棹９１の一方の端部に図示しない原動機が設けられるとともに他方の端部に刈払機用ロータ１１０を着脱自在に保持するロータ保持部９２が形成されて構成されており、原動機の回転駆動力によって刈払機用ロータ１１０を回転させて草刈作業を行うことができる機具である。この刈払機用ロータ１１０は、ベース体１１１を備えている。
【００２５】
ベース体１１１は、底板１１４、支柱１１５および上板１１６をそれぞれ支持しつつ刈払機９０における操作棹９１の先端部に設けられたロータ保持部９２に対して着脱自在に取り付けられる部品であり、金属製の板材をリング状に形成して構成されている。より具体的には、ベース体１１１は、直径が１２７ｍｍ、板厚が１.５ｍｍの円板の中央部に取付孔１１２が形成されている。この場合、取付孔１１２は、刈払機９０のロータ保持部９２における図示しない嵌合部に嵌合する大きさに形成された貫通孔である。
【００２６】
ここで、刈払機９０は、棒状に延びる操作棹９１の一方の端部に図示しない原動機が設けられるとともに他方の端部に刈払機用ロータ１１０を着脱自在に保持するロータ保持部９２が形成されて構成されており、原動機の回転駆動力によって刈払機用ロータ１１０を回転駆動させることにより刈払コード体１００を回転させて草刈作業を行うことができるものである。そして、ロータ保持部９２は、ロータ受け部９２ａとこのロータ受け部９２ａに対して図示しないボルトを介して着脱自在に取り付けられるロータ押さえ具９２ｂとによってベース体１１１を図示上下方向の両側から挟んで保持する部品である。これにより、ロータ保持部９２は、刈払機９０が備える原動機と刈払機用ロータ１１０とを連結して原動機が発生する回転駆動力によって刈払機用ロータ１１０を回転駆動させる。なお、刈払機９０の操作棹９１には、刈った草や刈払コード体１００によって跳ね飛ばされた異物が作業者側に飛散することを防止するために樹脂材を湾曲した板状に形成した防護カバー９３が設けられている。
【００２７】
このベース体１１１上には、底板１１４、支柱１１５および上板１１６によって刈払コード体保持部１１３が形成されている。刈払コード体保持部１１３は、刈払機９０が実際に被切断対象物を刈る刈払コード体１００を着脱自在に保持する部分であり、ベース体１１１上における外縁部に径方向外側に向かって開口する筒状に形成されている。より具体的には、刈払コード体保持部１１３は、刈払コード体１００を折り曲げた状態でかつこの折り曲げた状態の刈払コード体１００における屈曲部１０２をベース体１１１の中央側に露出させた状態で貫通させて収容する筒状に形成されている。
【００２８】
底板１１４は、支柱１１５を介して上板１１６を支持することで刈払コード体保持部１１３を形成しつつ同刈払コード体保持部１１３の底部を形成する部品であり、金属板をベース体１１１よりも小径のリング状に形成して構成されている。この場合、底板１１４の内径は、リングの幅が支柱１１５の外径同等、または同外径より若干広くなる大きさに形成されている。本実施形態においては、底板１１４は、外径が１２３ｍｍ、内径が９５ｍｍ、板厚が１.５ｍｍに形成されている。
【００２９】
支柱１１５は、刈払コード体保持部１１３の横幅Ｗおよび高さＨをそれぞれ規定する部品であり、金属製の円柱体で構成されている。具体的には、支柱１１５は、２つの支柱１１５の間隔によって刈払コード体保持部１１３の横幅Ｗを規定するとともに、支柱１１５の長さによって刈払コード体保持部１１３の高さＨをそれぞれ規定する。
【００３０】
この場合、刈払コード体保持部１１３の横幅Ｗおよび高さＨは、折り曲げた刈払コード体１００を折り曲げた状態を維持する幅および高さにそれぞれ設定される。したがって、２つの支柱１１５は、刈払コード体１００を折り曲げた状態を維持する間隔を介して底板１１４上に配置されて固定される。
【００３１】
この場合、２つの支柱１１５の間隔、すなわち、刈払コード体保持部１１３の横幅Ｗは、１つの刈払コード体１００を折り曲げた２つの分の刈払コード体１００の幅以上、すなわち、１つの刈払コード体１００の太さの２倍以上の幅で形成されていればよい。例えば、刈払コード体保持部１１３の横幅Ｗは、１つの刈払コード体１００の太さの２倍以上かつ屈曲部１０２の幅未満のほか、１つの刈払コード体１００を折り曲げた２つ分の刈払コード体１００が互いに平行になる幅、同幅より広い幅、すなわち、２つの刈払コード体１００が鋭角を成して広がる状態で収容される幅に形成することができる。また、２つの支柱１１５は、折り曲げることによって厚さが若干太くなる刈払コード体１００が貫通可能な高さであって、折り曲げられた刈払コード体１００の弾性力（復元力）および刈払コード体１００との間の摩擦に耐えられる太さおよび材質で形成される。
【００３２】
本実施形態においては、刈払機用ロータ１１０は、直径が１２ｍｍの１２個の支柱１１５を用いて５種類の横幅Ｗ１〜Ｗ５からなる５つの刈払コード体保持部１１３がそれぞれ２つずつ形成されている。この場合、互いに同じ横幅Ｗ１〜Ｗ５からなる刈払コード体保持部１１３は、ベース体１１１上において径方向に対象となる位置（換言すれば、１８０°反対側の位置）に形成される。なお、本実施形態においては、横幅Ｗ１〜Ｗ５は、それぞれ１７.５ｍｍ、１２.５ｍｍ、２０ｍｍ、１０ｍｍ、１５ｍｍである。また、刈払コード体保持部１１３の高さＨ，すなわち、支柱１１５の高さは６ｍｍに形成されている。
【００３３】
上板１１６は、刈払コード体保持部１１３の天井部を構成する金属製の板状部品であり、ベース体１１１よりも小径のリング状に形成されている。この場合、上板１１６の内径は、リングの幅が支柱１１５の外径と同等、または同外径より若干広くなる大きさに形成されている。本実施形態においては、上板１１６は、底板１１４と同じ形状に形成されている。本実施形態においては、上板１１６は、外径が１２３ｍｍ、内径が９５ｍｍ、板厚が１.５ｍｍに形成されている。
【００３４】
そして、これらの底板１１４、支柱１１５および上板１１６は、底板１１４と上板１１６とが支柱１１５を介して互いに溶接されることによって底板１１４および上板１１６の周方向に沿って各刈払コード体保持部１１３を一体的に形成している。また、刈払コード体収容部１１３を構成する底板１１４、支柱１１５および上板１１６は、底板１１４がベース体１１１に溶接されることでベース体１１１と一体化されて刈払機用ロータ１１０を構成している。
【００３５】
（刈払コード体１００および刈払機用ロータ１１０の作動）
次に、上記のように構成した刈払コード体１００および刈払機用ロータ１１０の作動について説明する。刈払コード体１００および刈払機用ロータ１１０を用いて草刈作業を行う作業者は、まず、刈払コード体１００および刈払機用ロータ１１０とともに刈払機９０をそれぞれ用意する。
【００３６】
次に、作業者は、刈払機用ロータ１１０を刈払機９０のロータ保持部９２に取り付ける。具体的には、作業者は、刈払機９０のロータ保持部９２におけるロータ受け部９２ａからロータ押さえ具９２ｂを外した後、ロータ受け部９２ａとロータ押さえ具９２ｂとで刈払機用ロータ１１０を挟んで図示しないボルトを介して取り付ける。これにより、刈払機用ロータ１１０は、ロータ受け部９２ａにベース体１１１の図示上面が密着するとともにロータ押さえ具９２ｂにベース体１１１の図示下面が密着した状態でロータ保持部９２に取り付けられる。
【００３７】
次に、作業者は、刈払コード体１００を用意する。具体的には、作業者は、図６に示すように、長尺の刈払コード体１００が円環状に巻かれたコード巻き体１０３を用意する。この場合、コード巻き体１０３は、刈払コード体１００における側面１０１が円環体における径方向外側に向く姿勢で巻かれている。
【００３８】
したがって、作業者は、円環状に巻かれたコード巻き体１０３から刈払コード体１００を引き出して所定の長さの位置で切断する。この場合、作業者は、刈払機用ロータ１１０の外縁部から概ね６ｃｍ以下の長さで延びる長さ、例えば、全長が１５ｃｍの長さで刈払コード体１００を用意する。また、この場合、作業者は、１つの刈払機用ロータ１１０に対して刈払コード体１００を２つ取り付けるため、刈払コード体１００を２つ用意する。なお、作業者は、前記した１５ｃｍの長さなど予め所定の長さに形成された刈払コード体１００を用意してもよいことは当然である。
【００３９】
次に、作業者は、楔コード体１０４を用意する。楔コード体１０４は、刈払機用ロータ１１０に保持させた刈払コード体１００の抜けを防止するための可撓性を有する紐体である。本実施形態においては、楔コード体１０４は、刈払コード体１００を切り出したコード巻き体１０３から切り出す。具体的には、作業者は、コード巻き体１０３から刈払コード体１００を引き出して所定の長さの位置で切断する。この場合、作業者は、刈払コード体１００の屈曲部１０２の内側を貫通させるに十分な長さ、例えば、刈払コード体１００の半分以上の長さで用意する。また、作業者は、楔コード体１０４を２つの刈払コード体１００に対応させて２つ用意する。なお、作業者は、予め所定の長さに形成された刈払コード体１００を楔コード体１０４として用意してもよいことは当然である。
【００４０】
次に、作業者は、図１〜図３にそれぞれ示すように、刈払コード体１００を刈払機用ロータ１１０に取り付ける。具体的には、作業者は、刈払コード体１００の一方の端部側を折り曲げて屈曲部１０２を形成しつつＪ字状にした状態で刈払コード体１００を屈曲部１０２側から刈払コード体保持部１１３内に挿し込む。この場合、作業者は、刈払コード体１００が円弧状に湾曲して形成されているため、この湾曲形状に従って容易に折り曲げることができる。
【００４１】
また、作業者は、刈払コード体１００の太さや硬度に応じて適当な横幅Ｗ１〜Ｗ５の刈払コード体保持部１１３を選択して刈払コード体１００を装着する。また、作業者は、Ｊ字状に屈曲させた刈払コード体１００における草を刈る側の長さの長い刈払コード体１００における内側面（凹状に湾曲した側の面）である側面１０１が刈払機用ロータ１１０の回転方向前方に向く向きで刈払コード体１００を挿し込む。また、作業者は、Ｊ字状に屈曲させた刈払コード体１００における屈曲部１０２が刈払コード体保持部１１３内を貫通して同刈払コード体保持部１１３の内側に露出する挿し込み量で挿し込む。なお、図３においては、上板１１６の一部を破断して示している。
【００４２】
次いで、作業者は、刈払コード体保持部１１３の内側に露出する屈曲部１０２の内側に楔コード体１０４を挿し込んで一方の端部をベース体１１１上に這わせるとともに他方の端部を刈払コード体１００を挿し込んだ刈払コード体保持部１１３に隣接する刈払コード体保持部１１３内に挿し込む。そして、作業者は、刈払コード体保持部１１３から径方向外側に向かって長く伸びる草を刈る側の刈払コード体１００を径方向外側に引っ張ることによって刈払コード体保持部１１３の内周側の開口部に対して刈払コード体１００の屈曲部１０２を介して楔コード体１０４を押し付けて固定する。
【００４３】
なお、楔コード体１０４は、刈払コード体１００における屈曲部１０２内に挿し込まれていればよく、必ずしも本実施形態のように刈払コード体１００を挿し込んだ刈払コード体保持部１１３に隣接する刈払コード体保持部１１３内に挿し込む必要はない。
【００４４】
そして、作業者は、刈払コード体１００を取り付けた刈払コード体保持部１１３に径方向において対向するもう１つの同じ横幅Ｗ１の刈払コード体保持部１１３に対して同様の手順で刈払コード体１００を楔コード体１０４を用いて固定する。これにより、刈払機用ロータ１１０には、中心部を介して対称な位置の刈払コード体保持部１１３にそれぞれ刈払コード体１００が取り付けられる。
【００４５】
次に、作業者は、草刈作業を行う。具体的には、作業者は、刈払機９０における図示しない原動機を始動させて刈払機用ロータ１１０を回転（一般的に、左回り）させることによって刈払コード体１００を刈払機用ロータ１１０を中心に回転させる。したがって、作業者は、回転する刈払コード体１００を草や低木に当てることによって草や低木を刈ることができる。
【００４６】
この場合、刈払コード体１００は、凹状に湾曲した側面１０１を刈払機用ロータ１１０の回駆動方向の前方に面するように刈払機用ロータ１１０に取り付けられているため、刈払機用ロータ１１０の回転駆動（図３における破線矢印参照）による遠心力によって凹状の湾曲形状が開いて回転駆動方向の後方側に弾性変形（図３における破線矢印参照）する変形量が抑えられるとともに被切断対象物に衝突した際における回転駆動方向の後方への倒れ変形も抑えることができる（図３における二点鎖線参照）。
【００４７】
また、刈払コード体１００は、刈払機用ロータ１１０の回転駆動による遠心力によって凹状の湾曲形状が開くため、刈払いする面積を広げることもできる（図３における二点鎖線参照）。また、刈払コード体１００は、断面形状が正方形に形成されて刈払コード体１００の回転駆動方向の後方側においても太さが縮小することなく一定の太さが保たれているため、被切断対象物に衝突した際における回転駆動方向の後方への倒れ変形も抑えられる。
【００４８】
そして、刈払コード体１００は、断面形状が３．５ｍｍ以上かつ４．５ｍｍ以下の正方形に形成されているとともに側面１０１が刈払機用ロータ１１０の回転駆動方向の前方に向いて回転するため、この側面１０１が草や低木に面当たりする。これにより、刈払コード体１００は、幹が太く成長した草や低木であっても円滑に切断することができる。また、刈払コード体１００は、屈曲部１０２の弾性力（復元力）および楔コード体１０４が閂として作用するため、刈払コード体保持部１１３から抜けることが防止される。
【００４９】
次に、草刈作業を終える場合には、作業者は、刈払機用ロータ１１０の回転を停止させた後、刈払コード体１００を刈払機用ロータ１１０から取り外す。具体的には、作業者は、楔コード体１０４を刈払コード体１００の屈曲部１０２内から抜き取った後、刈払コード体１００を刈払機用ロータ１１０の径方向外側に引っ張ることによって刈払コード体保持部１１３から取り除くことができる。そして、作業者は、ロータ押さえ具９２ｂをロータ受け部９２ａから外すことによって刈払機用ロータ１１０をロータ保持部９２から取り外すことができる。
【００５０】
上記作動説明からも理解できるように、上記実施形態によれば、刈払コード体１００は、正方形に形成された断面形状の一辺Ｌが３．５ｍｍ以上かつ４．５ｍｍ以下に形成されているため、刈払コード体１００の平面状に延びる側面１０１が刈払機用ロータ１１０の回転駆動方向の前方に面して最前面となって草や低木からなる被切断対象物に衝突することとなりこれらの被切断対象物を効果的に刈ることができる。この場合、本発明者によれば、本発明に係る刈払コード体１００を用いることで直径が１０ｍｍ程度の比較的幹が太く成長した草や低木であっても円滑に切断することができることを確認した。これは、刈払コード体１００が３．５ｍｍ以上かつ４．５ｍｍ以下の太さの正方形に形成されるとともに刈払コード体１００における稜線ではなく側面１０１が被切断対象物に衝突することで衝突時の反力による変形を抑えて被切断対象物を切断仕切ることができるためと考えらえる。
【００５１】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００５２】
例えば、上記実施形態においては、刈払コード体１００は、側面１０１が円弧状に湾曲するように刈払コード体１００の全体が湾曲して形成されている。しかし、刈払コード体１００は、湾曲した形状に代えて直線状に延びて形成してもよい。
【００５３】
また、上記実施形態においては、刈払コード体１００は、長尺の刈払コード体１００を円環状に巻いたコード巻き体１０３から切り出して形成した。これにより、刈払コード体１００は、直線状に形成した刈払コード体１００に曲げ癖を付けて湾曲する形状に構成することができる。しかし、刈払コード体１００は、樹脂材料を射出成形する際に湾曲した形状に形成するようにしてもよい。
【００５４】
また、上記実施形態においては、刈払コード体１００は、断面形状における角部を構成して長手方向に沿って延びる稜線部分を高さが一定の直線状に形成した。しかし、刈払コード体１００は、長手方向に沿って延びる稜線部分に凹凸が連続する凹凸刃部１０５を備えて構成することができる。これによれば、刈払コード体１００は、刈払コード体１００の側面１０１が被切断対象物に衝突した際にこの側面１０１の上下の両端部の稜線部にそれぞれ形成された凹凸刃部１０５によって被切断対象物の切断を促進することができる。なお、凹凸刃部１０５は、刈払コード体１００における４つの稜線部分のうちの少なくとも１つ、好ましくは、被切断対象物に当たる側面１０１の両側の各稜線部分にそれぞれ形成されるとよい。
【００５５】
また、上記実施形態においては、刈払コード体１００は、凹状に湾曲した側面１０１を刈払機用ロータ１１０の回駆動方向の前方に面するように刈払機用ロータ１１０に取り付けた。しかし、刈払コード体１００は、凹状に湾曲した側面１０１の反対側の凸状に湾曲した側面１０１を刈払機用ロータ１１０の回駆動方向の前方に面するように刈払機用ロータ１１０に取り付けることもできる。
【００５６】
また、上記実施形態においては、刈払機用ロータ１１０は、１つのベース体１１１上に５種の横幅Ｗ１〜Ｗ５の刈払コード体保持部１１３を形成した。しかし、刈払機用ロータ１１０は、１つのベース体１１１上に少なくとも１種の横幅Ｗの刈払コード体保持部１１３が形成されていればよい。
【００５７】
また、上記実施形態においては、刈払機用ロータ１１０は、ベース体１１１上に１種の横幅Ｗの刈払コード体保持部１１３を２つ径方向に対向し合う位置に設けて構成した。しかし、刈払機用ロータ１１０は、ベース体１１１上に１種の横幅Ｗの刈払コード体保持部１１３を少なくとも１つ設けて構成すればよい。この場合、刈払機用ロータ１１０は、ベース体１１１上に１種の横幅Ｗの刈払コード体保持部１１３を周方向に沿って均等配置することによって刈払機用ロータ１１０の安定的に回転させることができるため、刈払コード体保持部１１３を２つ以上設けることが好ましい。例えば、刈払機用ロータ１１０は、ベース体１１１上に１種の横幅Ｗの刈払コード体保持部１１３を１２０°毎や９０°毎に配置して刈払コード体保持部１１３を３つや４つ備えて構成することもできる。
【００５８】
また、上記実施形態においては、作業者は、刈払コード体保持部１１３から貫通させた刈払コード体１００の屈曲部１０２に楔コード体１０４を通すとともに、この楔コード体１０４の一方の端部を刈払コード体１００を収容した刈払コード体保持部１１３に隣接する刈払コード体保持部１１３内に貫通させた。しかし、刈払コード体１００は、断面形状を構成する正方形の一辺Ｌが３．５ｍｍ以上かつ４．５ｍｍ以下と太い断面積に形成されているため、刈払コード体保持部１１３内に屈曲させた状態で収容するだけでも刈払コード体１００の弾性力（復元力）によって抜けが防止できるため、楔コード体１０４を省略して刈払コード体保持部１１３内に取り付けることもできる。
【００５９】
また、上記実施形態においては、刈払機用ロータ１１０は、刈払コード収容部１１３をベース体１１１の図示上面上に形成して構成した。これにより、刈払機用ロータ１１０は、刈払コード体１００の回転面が刈払機９０の操作棹９１に設けられた防護カバー９３の下端面より上方となり易く刈った草や刈払コード体１００によって跳ね飛ばされた異物が作業者側に飛散することを防護カバー９３によって防止することができる。しかし、刈払機用ロータ１１０は、刈払コード収容部１１３をベース体１１１の図示上面とは反対側の図示下面上に形成して構成することもできる。
【００６０】
また、上記実施形態においては、作業者は、１つの刈払コード体１００をＪ字状に屈曲させた状態で刈払コード体保持部１１３内に挿入した。しかし、作業者は、１つの刈払コード体１００をＵ字状に屈曲させた状態で刈払コード体保持部１１３内に挿入することもできる。
【００６１】
また、上記実施形態においては、刈払コード体保持部１１３は、１つの刈払コード体保持部１１３を底板１１４、２つの支柱１１５および上板１１６によって構成した。しかし、刈払コード体保持部１１３は、刈払コード体１００を折り曲げた状態でかつこの折り曲げた状態の刈払コード体１００における屈曲部１０２をベース体１１１の中央側に露出させた状態で貫通させて収容する筒状に形成されていればよい。したがって、刈払コード体保持部１１３は、例えば、樹脂材や金属材を一体的に円形や方形の筒状に形成して構成することもできる。
【００６２】
また、上記実施形態においては、刈払機用ロータ１１０は、刈払コード体１００をＪ字状に屈曲させた状態で保持する刈払コード体保持部１１３を備えて構成した。しかし、刈払機用ロータ１１０は、刈払コード体１００を着脱自在に保持するように構成されていればよい。したがって、刈払機用ロータ１１０は、例えば、ボルトを用いて刈払コード体１００を着脱自在に保持するように構成することもできる。
【符号の説明】
【００６３】
Ｌ…刈払コード体の断面形状を構成する正方形の一辺の長さ、Ｗ，Ｗ１〜Ｗ５…横幅、Ｈ…高さ、
９０…刈払機、９１…操作棹、９２…ロータ保持部、９２ａ…ロータ受け部、９２ｂ…ロータ押さえ部、９３…防護カバー、
１００…刈払コード体、１０１…側面、１０２…屈曲部、１０３…コード巻き体、１０４…楔コード体、１０５…凹凸刃部、
１１０…刈払機用ロータ、１１１…ベース体、１１２…取付孔、１１３…刈払コード体保持部、１１４…底板、１１５…支柱、１１６…上板。
【図１】
2020048490.tif 000003
【図２】
2020048490.tif 000004
【図３】
2020048490.tif 000005
【図４】
2020048490.tif 000006
【図５】
2020048490.tif 000007
【図６】
2020048490.tif 000008
【図７】
2020048490.tif 000009